(57)【特許請求の範囲】
【請求項１】
ボックス本体と、該ボックス本体内に収容され、電気部品が装着されるスライドプレートと、前記ボックス本体の内側に固定され、前記スライドプレートを下方から支持する左右一対のプレート支持部材と、該プレート支持部材に配設される滑車とを備え、
前記スライドプレートは前記プレート支持部材に対し装着、離脱可能とされ、
前記滑車は車輪と該車輪を回転可能に軸支する車輪保持部とからなり、前記車輪は下方から前記スライドプレートと当接し該スライドプレートを前後方向へ移動可能にし、
前記プレート支持部材はその水平板部に前後方向に沿って複数の車輪通し孔を有し、前記滑車の車輪保持部は前記水平板部の下面かつ前記各車輪通し孔の周辺に取り付けられ、かつ、前記滑車の車輪の一部は前記車輪通し孔から上方へ突出し、
前記水平板部は、前記車輪通し孔よりもボックス本体寄りに位置する前後方向に延在するガイド孔を有するとともに、前記スライドプレートは、前記ガイド孔に挿入され前記スライドプレートの前後方向の移動に伴い前記ガイド孔内で前後方向へ移動するガイドピンを有し、
さらに、当該制御ボックスは、前記スライドプレートの収納位置を固定させるためのロック機構を備え、該ロック機構は、ロック孔とロックピンとから構成され、前記ロック孔は前記スライドプレートに設けられたプレート側ロック孔と前記水平板部に設けられた支持部材側ロック孔とからなり、前記プレート側ロック孔及び前記支持部材側ロック孔は、左右方向位置が互いに一致するとともに、前記スライドプレートが収納位置にあるとき前後方向位置が互いに一致するようになり、また、前記ロックピンは、前後方向位置が互いに一致している両ロック孔に挿通され、前記スライドプレートを前記プレート支持部材に固定させる
ことを特徴とする制御ボックス。
【請求項２】
請求項１において、前記ボックス本体は機枠を有し、該機枠は複数本の立て支柱を有し、各立て支柱は鉛直方向に複数の支持部材取付孔を有し、前記プレート支持部材は、前記複数の支持部材取付孔のうち任意の支持部材取付孔に取付金具によって固定されることを特徴とする制御ボックス。
【発明の詳細な説明】
【０００１】
【発明の属する技術分野】
本発明は工作機械等の制御ボックスに関する。
【０００２】
【従来の技術】
従来、工作機械等の制御ボックスとして、ボックス本体内に複数枚のプレートを鉛直に配し、各プレートに電気部品（電源、リアクトル、アンプ、リレー等）を装着したものが知られている。
【０００３】
【発明が解決しようとする課題】
しかし、上記のような従来の制御ボックスによると、制御ボックスの小型化を図ろうとすると作業空間が制限されるようになり、各プレートに電気部品を装着する作業、その他、配線作業、メンテナンス作業が煩雑になり、その反対に、作業空間の確保を図ろうとすると制御ボックスが大型化し電気部品の実装率が低下するという問題があった。
【０００４】
本発明は上記問題点を解決し、数多くの電気部品を収納しつつ小型化を図ることが可能な制御ボックスを提供することを目的とする。
【０００５】
【課題を解決するための手段】
本発明の制御ボックスは、ボックス本体と、該ボックス本体内に収容され、電気部品が装着されるスライドプレートと、前記ボックス本体の内側に固定され、前記スライドプレートを下方から支持する左右一対のプレート支持部材と、該プレート支持部材に配設される滑車とを備え、前記スライドプレートは前記プレート支持部材に対し装着、離脱可能とされ、前記滑車は車輪と該車輪を回転可能に軸支する車輪保持部とからなり、前記車輪は下方から前記スライドプレートと当接し該スライドプレートを前後方向へ移動可能にし、前記プレート支持部材はその水平板部に前後方向に沿って複数の車輪通し孔を有し、前記滑車の車輪保持部は前記水平板部の下面かつ前記各車輪通し孔の周辺に取り付けられ、かつ、前記滑車の車輪の一部は前記車輪通し孔から上方へ突出し、前記水平板部は、前記車輪通し孔よりもボックス本体寄りに位置する前後方向に延在するガイド孔を有するとともに、前記スライドプレートは、前記ガイド孔に挿入され前記スライドプレートの前後方向の移動に伴い前記ガイド孔内で前後方向へ移動するガイドピンを有し、さらに、当該制御ボックスは、前記スライドプレートの収納位置を固定させるためのロック機構を備え、該ロック機構は、ロック孔とロックピンとから構成され、前記ロック孔は前記スライドプレートに設けられたプレート側ロック孔と前記水平板部に設けられた支持部材側ロック孔とからなり、前記プレート側ロック孔及び前記支持部材側ロック孔は、左右方向位置が互いに一致するとともに、前記スライドプレートが収納位置にあるとき前後方向位置が互いに一致するようになり、また、前記ロックピンは、前後方向位置が互いに一致している両ロック孔に挿通され、前記スライドプレートを前記プレート支持部材に固定させることを特徴とする。
【０００６】
ここで、電気部品をスライドプレートに装着したり電気部品同士を配線したり、あるいは電気部品のメンテナンス作業を行なうにあたっては、スライドプレートをプレート支持部材から離脱させた状態で電気部品の装着、配線、交換等を行なうようにする。そして、このような作業を終了した後は、スライドプレートをプレート支持部材に装着し、スライドプレートを押して収納位置まで後退させる。この後退作業は、滑車の作用によりきわめて楽に行なうことができる。
【０００７】
このように、スライドプレートをボックス本体から取り外した状態で電気部品の装着等を行なうことができるため、電気部品の装着、配線、メンテナンス作業等がきわめて容易になり、また、作業空間が殆ど不要になることから、電気部品の実装率を高めることができ、またボックスの小型化を図ることができる。
【０００８】
また、上記の制御ボックスにおいて、前記プレート支持部材は前後方向に沿って複数の車輪通し孔を有し、前記滑車の車輪保持部は前記プレート支持部材の下面かつ前記各車輪通し孔の周辺に取り付けられ、かつ、前記滑車の車輪の一部は前記車輪通し孔から上方へ突出するようにしたため、プレート支持部材の上面からスライドプレートの下面までの距離を小さくすることができ、制御ボックスの高さ寸法の縮小化を図ることができる。
【０００９】
また、前記水平板部は、前記車輪通し孔よりもボックス本体寄りに位置する前後方向に延在するガイド孔を有するとともに、前記スライドプレートは、前記ガイド孔に挿入され前記スライドプレートの前後方向の移動に伴い前記ガイド孔内で前後方向へ移動するガイドピンを有しているため、スライドプレートは常に一定の姿勢を保ちながらボックス本体の側板と干渉しないで前後方向へ移動することが可能となる。
【００１０】
また、当該制御ボックスは、前記スライドプレートの収納位置を固定させるためのロック機構を備え、該ロック機構は、ロック孔とロックピンとから構成され、前記ロック孔は前記スライドプレートに設けられたプレート側ロック孔と前記水平板部に設けられた支持部材側ロック孔とからなり、前記プレート側ロック孔及び前記支持部材側ロック孔は、左右方向位置が互いに一致するとともに、前記スライドプレートが収納位置にあるとき前後方向位置が互いに一致するようになり、また、前記ロックピンは、前後方向位置が互いに一致している両ロック孔に挿通され、前記スライドプレートを前記プレート支持部材に固定させるよう構成したため、制御ボックスに外力が加えられたときにスライドプレートがボックス本体内で移動したり踊ったりする不具合を防止することができ、また、ロック機構の構成がきわめて簡単になる。
【００１２】
また、上記の制御ボックスにおいて、前記ボックス本体は機枠を有し、該機枠は複数本の立て支柱を有し、各立て支柱は鉛直方向に複数の支持部材取付孔を有し、前記プレート支持部材は、前記複数の支持部材取付孔のうち任意の支持部材取付孔に取付金具によって固定されるようにする。このような構成を採用することにより、実装される電気部品の高さ寸法等に応じて機枠へのプレート支持部材の取付位置を自由に選択することが可能となり、また、現場での組立作業が容易になる。
【００１３】
【発明の実施の形態】
以下、図面に基づいて本発明の実施形態を説明する。
【００１４】
図１は、一実施形態に係る制御ボックスの正面図、図２は、上記制御ボックスのボックス本体を説明するための分解斜視図、図３は、上記制御ボックスの最下段のスライドプレートの正面図、図４は、電気部品が装着された状態にある上記スライドプレートの正面図、図５（Ａ）、（Ｂ）、（Ｃ）は、プレート支持部材の平面図、図５（Ａ）図示矢印Ｂ視図、図５（Ａ）図示矢印Ｃ視図、図６は、スライドプレートの平面図、図７は、スライドプレートとプレート支持部材と滑車との位置関係などを説明するための正面図、図８は、同じくスライドプレートとプレート支持部材と滑車との位置関係などを説明するための断面図をそれぞれ示す。
【００１５】
図１において、制御ボックス１は上下５段の棚２、３、４、５、６で構成され、その内部に、電源、リアクトル、アンプ、リレー等の各種電気部品７が電源部、操作部、制御部毎にユニット化されコネクタ接続されて収納されている。
【００１６】
制御ボックス１は、前面が開口した箱形状のボックス本体８を備える。ボックス本体８は、図２に示すような機枠９に、開閉扉（図示せず）と左右の側板（図示せず）と背板（図示せず）とを取り付けて構成される。機枠９は、上方に開口する箱形状の底板１０と、この底板１０の四隅に立設される四本の立て支柱１１と、これらの立て支柱１１の上端に被せられる天井板１２とから構成される。各立て支柱１１は、鉛直方向に複数の支持部材取付孔１１ａを有する。なお、底板１０、立て支柱１１及び天井板１２はそれぞれ個別の部材であり、図２には明瞭に示されていないが、これらの部材１０、１１、１２は取付金具（図示せず）によって制御ボックス１の設置場所で容易に組み立てられる。
【００１７】
図１に示す上下５段の棚２、３、４、５、６のうち、少なくとも最下段の棚６を構成するスライドプレート１３は、ボックス本体８内に収容され、制御ボックス１の奥行き方向すなわち前後方向（図面に対し垂直な方向）に移動可能とされる。このスライドプレート１３は、図３及び図４に示すように、底板１４と背板１５と左右の側板１６、１７とを備える。背板１５は、電気部品７を取り付けるための電気部品取付孔１８を有する。
【００１８】
各スライドプレート１３は、図２に示すように、ボックス本体８の内側に固定された左右一対のプレート支持部材１９、２０によって支持される。
【００１９】
左右一対のプレート支持部材１９、２０のうち、制御ボックス１の正面に向かって左側に位置するプレート支持部材１９は、図５（Ａ）、（Ｂ）、（Ｃ）に示すような構成を有する。以下、左側に位置するプレート支持部材１９の構成を説明し、右側に位置するプレート部材２０については構成が左右対称であるため構成の説明を省略する。
【００２０】
プレート支持部材１９は、制御ボックス１の奥行き方向すなわち前後方向に長い長方形形状の水平板部１９ａと、この水平板部１９ａの外側自由端から鉛直に垂下した鉛直板部１９ｂと、水平板部１９ａと鉛直板部１９ｂとを接続する三角形形状の補強板部１９ｃとからなる。
【００２１】
水平板部１９ａは、図５（Ａ）に示すように、前後方向に沿って複数の車輪通し孔１９ｄを有する。また、水平板部１９ａは、各車輪通し孔１９ｄの前方位置及び後方位置にそれぞれ滑車取付孔１９ｅを有する。水平板部１９ａの下面かつ各車輪通し孔１９ｄの周辺には、図７及び図８に示すような滑車２１が取り付けられる。滑車２１は、車輪２１ａとこの車輪２１ａを回転可能に軸支する車輪保持部２１ｂとから構成される。車輪保持部２１ｂは、前後方向に上記二つの滑車取付孔１９ｅの間隔と同じ間隔で二つのボルト通し孔２１ｃを有する。滑車２１を水平板部１９ａに取り付けるにあたっては、水平板部１９ａの下面側に滑車２１を配し、水平板部１９ａの車輪通し孔１９ｄに滑車２１の車輪２１ａを挿通するとともに、滑車２１のボルト通し孔２１ｃと水平板部１９ａの滑車取付孔１９ｅとを位置合わせし、ボルト２２を滑車取付孔１９ｅとボルト通し孔２１ｃとに通してナット２３を締めるようにする。滑車取付後においては、滑車２１の車輪２１ａの一部が車輪通し孔１９ｄから上方へ突出している。
【００２２】
また、水平板部１９ａは、図５（Ａ）に示すように、前後方向に延びたガイド孔１９ｆを有する。このガイド孔１９ｆには、スライドプレート１３の下面に突設されたガイドピン１３ａ（図５、６、７）が挿入される。スライドプレート１３は、ガイドピン１３ａがガイド孔１９ｆにガイドされながら移動することにより、一定の姿勢を保ちながら前後方向に移動することができる。
【００２３】
さらに、水平板部１９ａは、図５（Ａ）に示すように、スライドプレート１３を収納位置に固定させるためのロック機構２４の要素としてのロック孔１９ｇを有する。ロック孔１９ｇは、プレート支持部材１９の前端付近に設けられている。ロック機構２４は、上記の支持部材側ロック孔１９ｇの他に、スライドプレート１３に設けられたロック孔１３ｂ（図６、７）、及び、ロックピン２５（図７）を要素としている。上記のプレート側ロック孔１３ｂ及び支持部材側ロック孔１９ｇは、左右方向位置が互いに一致しており、しかも、スライドプレート１３が収納位置にあるとき、前後方向位置が互いに一致するよう形成されている。スライドプレート１３を収納位置に固定させるにあたっては、図７に示すように、ロックピン２５をプレート側ロック孔１３ｂと支持部材側ロック孔１９ｇとに挿通するようにする。
【００２４】
鉛直板部１９ｂは、図５（Ｂ）に示すように、前端付近及び後端付近にそれぞれボルト通し孔１９ｈを有する。これらのボルト通し孔１９ｈは、前後に位置する立て支柱１１の同一高さに位置する二つの支持部材取付孔１１ａの間隔と略同じ間隔で形成されている。プレート支持部材１９を機枠９に取り付けるにあたっては、鉛直板部１９ｂのボルト通し孔１９ｈと立て支柱１１の複数の支持部材取付孔１１ａのうちの任意の支持部材取付孔１１ａとの位置合わせを行ない、ボルト２６（図７）を支持部材取付孔１１ａとボルト通し孔１９ｈとに通してナット２７（図７）を締めるようにする。なお、図６中の符号１３ｃはスライドプレート１３の右側部分に位置するガイドピン、１３ｄは同じくスライドプレート１３の右側部分に位置するロック孔を表している。
【００２５】
上記のように構成された制御ボックス１において、電気部品７をスライドプレート１３に装着したり電気部品７同士を配線したり、あるいは電気部品７のメンテナンス作業を行なうにあたっては、スライドプレート１３をプレート支持部材１９から離脱させた状態で電気部品７の装着、配線、交換等を行なうようにする。このように、本実施形態の制御ボックス１によると、スライドプレート１３をボックス本体８から取り外した状態で電気部品７の装着等を行なうことができるため、電気部品７の装着、配線、メンテナンス作業等がきわめて容易になり、また、作業空間が殆ど不要になることから、電気部品７の実装率を高めることができ、またボックスの小型化を図ることができる。
【００２６】
そして、このような作業を終了した後は、スライドプレート１３をプレート支持部材１９に装着し、スライドプレート１３を押して収納位置まで後退させる。この後退作業は、滑車２１の作用によりきわめて楽に行なうことができる。また、スライドプレート１３の後退時は、ガイドピン１３ａはガイド孔１９ｆにガイドされながら後退するため（スライドプレート１３の右側部分においても同様である。）、スライドプレート１３は常に一定の姿勢を保ちながらボックス本体８の側板と干渉しないで後退することができる。
【００２７】
そして、スライドプレート１３が収納位置まで到達した後は、ロックピン２５をプレート側ロック孔１３ｂと支持部材側ロック孔１９ｇとに挿通することにより（スライドプレート１３の右側部分においても同様の操作が行なわれる。）、スライドプレート１３をプレート支持部材１９に固定させる。これにより、制御ボックス１に外力が加えられたときにスライドプレート１３がボックス本体８内で移動したり踊ったりする不具合を防止することができる。
【００２８】
一方、収納位置にあるスライドプレート１３をボックス本体８から取り外す場合には、上記と逆の操作をする。
【００２９】
本実施形態の制御ボックス１において、プレート支持部材１９は前後方向に沿って複数の車輪通し孔１９ｄを有し、滑車２１の車輪保持部２１ｂはプレート支持部材１９の下面かつ各車輪通し孔１９ｄの周辺に取り付けられ、かつ、滑車２１の車輪２１ａの一部は車輪通し孔１９ｄから上方へ突出する。このため、プレート支持部材１９の上面からスライドプレート１３の下面までの距離を小さくすることができ、制御ボックス１の高さ寸法の縮小化を図ることができる。
【００３０】
また、本実施形態の制御ボックス１において、ボックス本体８は機枠９を有し、機枠９は複数本の立て支柱１１を有し、各立て支柱１１は鉛直方向に複数の支持部材取付孔１１ａを有し、プレート支持部材１９は、複数の支持部材取付孔１１ａのうち任意の支持部材取付孔１１ａに取付金具２６、２７によって固定される。このため、実装される電気部品７の高さ寸法等に応じて機枠９へのプレート支持部材１９の取付位置を自由に選択することが可能となり、また、現場での組立作業が容易になる。
【００３１】
【発明の効果】
以上説明したように、本発明による主な効果は、数多くの電気部品を収納しつつ小型化を図ることが可能になることである。
【図面の簡単な説明】
【図１】本発明の一実施形態に係る制御ボックスの正面図である。
【図２】上記制御ボックスのボックス本体を説明するための分解斜視図である。
【図３】上記制御ボックスの最下段のスライドプレートの正面図である。
【図４】電気部品が装着された状態にある上記スライドプレートの正面図である。
【図５】（Ａ）はプレート支持部材の平面図、（Ｂ）は図５（Ａ）図示矢印Ｂ視図、（Ｃ）は図５（Ａ）図示矢印Ｃ視図である。
【図６】スライドプレートの平面図である。
【図７】スライドプレートとプレート支持部材と滑車との位置関係などを説明するための正面図である。
【図８】同じくスライドプレートとプレート支持部材と滑車との位置関係などを説明するための断面図である。
【符号の説明】
１    制御ボックス
７    電気部品
８    ボックス本体
９    機枠
１１    立て支柱
１１ａ    支持部材取付孔
１３    スライドプレート
１３ａ、１３ｃ    ガイドピン
１３ｂ、１３ｄ    ロック孔
１９、２０    プレート支持部材
１９ａ 水平板部
１９ｄ    車輪通し孔
１９ｆ    ガイド孔
１９ｇ    ロック孔
２１    滑車
２１ａ    車輪
２１ｂ    車輪保持部
２４    ロック機構
２６    ボルト（取付金具）
２７    ナット（取付金具）
【図１】
0003656153.tif 000002
【図２】
0003656153.tif 000003
【図３】
0003656153.tif 000004
【図４】
0003656153.tif 000005
【図５】
0003656153.tif 000006
【図６】
0003656153.tif 000007
【図７】
0003656153.tif 000008
【図８】
0003656153.tif 000009